(57)【要約】【課題】  屋上等で雨水を効率的に貯めることで主にヒートアイランド現象を緩和させるため、雨水を水源とした雨水貯留タンクを付設する雨水池を提供する。【解決手段】  渇水時に雨水池１の水位が設定値に低下するとセンサーの働きで付設された雨水貯留タンク２から雨水池１に送水される。逆に降雨により雨水池１の水位が設定値に上昇するとセンサーの働きで雨水貯留タンク２に雨水が送られて貯留される。このように屋上等において常に雨水池と雨水貯留タンクとの間で雨水の相互送水システムを提供でき、雨水資源の効果的な利用が可能となる。【選択図】図２
2007071003.tif 000002
【特許請求の範囲】
【請求項１】
渇水時に雨水池の水位が設定値に低下するとセンサーの働きで送水ポンプが作動し、貯留されていた雨水が雨水貯留タンクから雨水池に導入され、雨水池の水位が設定満水水位まで上昇する。逆に降雨時に雨水池で設定以上の水位となると別のセンサーの働きで送水ポンプが作動して雨水貯留タンクに送られて雨水が貯留される。以上のような雨水の相互送水システムが可能である雨水貯留タンクを付設した雨水池。
【発明の詳細な説明】
【技術分野】
【０００１】  この発明は、主にヒートアイランド現象を緩和させるため屋上等に設置した雨水貯留タンクを付設した雨水池に関する。
【背景技術】
【０００２】  従来雨水は雨樋から集水し、地上や地下のタンクに貯水する方法が多数提供されている。（例えば、特許文献１参照）また、屋根や屋上に降った雨水を植生構造体に通過させた後地上の貯留タンクに貯水し再利用を図るシステムもある。（例えば、特許文献２参照））しかしこれらの方法では屋上で雨水を利用する場合貯水タンクの設置場所の確保や消費電力の大きい揚水ポンプが必要になる。他に屋上等に設置できる観察池もあるが、雨水の利用は提案されていない。（例えば、特許文献３参照）以上のように屋上等に池を設置し、そこに降った余分な雨水を、池に付設した雨水貯水タンクに貯め、その水を再び利用する技術は開発されなかった。
【特許文献１】  特開１９９８−０８８６２９号  公報
【特許文献２】  特開２００２−０１０７１１号  公報
【特許文献３】  特開２００４−０８９１３９号  公報
【発明の開示】
【発明が解決しようとする課題】
【０００３】  以上に述べた従来の技術は、屋上に降った雨水を屋上で貯留するものではなかった。【０００４】  本発明は以上の課題を解決し、雨水貯留タンクを付設した雨水池を設置して主にヒートアイランド現象を緩和させるため雨水を効果的に利用することを目的とする。
【課題を解決するための手段】
【０００５】  本発明は、上記目的を達成するため、渇水時に雨水池の水位が設定値に低下するとセンサーの働きで送水ポンプが作動し、貯留されていた雨水が雨水貯留タンクから雨水池に導入され、雨水池の水位が設定満水水位まで上昇する。逆に降雨時に雨水池で設定以上の水位となると別のセンサーの働きで送水ポンプが作動し、雨水貯留タンクに送られて雨水が貯留される。以上のように雨水の効率的な相互送水システムが可能となり上記の課題を解決した。
【発明の効果】
【０００６】  上述したように、雨水池に付設させて雨水貯留タンクを置けば、小型で消費電力の少ないポンプが使用でき効率的に雨水の利用が図られる効果を生む。
【発明を実施するための最良の形態】
【０００７】  以下、本発明を実施の形態を図１、図２に基づいて説明する。【０００８】  雨水池１に隣接させて雨水貯留タンク２を設けた。池の隅には池満水・空センサー容器８が設置されている。【０００９】  渇水時に雨水池１の水位が設定以下に低下すると池満水・空センサー７が感知して池送水ポンプ５が作動し、雨水貯留タンク２から池送水管１２を通して雨水池１に送水される。この結果池１の水位が上昇して満水水位になると再び池満水・空センサー７が感知して池送水ポンプ５は停止する。【００１０】  雨水池１とサブタンク３とは連通管（池〜サブタンク）１０によって同じ水位になっている。このサブタンク３の設置場所は雨水貯留タンク２とは仕切られている。降雨によりサブタンク３の水位が設定以上に上昇するとサブタンク満水・空センサー６が感知し、貯留タンク送水ポンプ４が作動して、貯留タンク送水管１１を通して雨水貯留タンク２に送られる。この雨水貯留タンク２では満水水位を超えると貯留タンクオーバーフロー管１４から余水として排出される。【００１１】  また、雨水貯留タンク２中の水が設定以下になるとポンプの空運転を防ぐため貯留タンク空センサー９が感知し、池送水ポンプ５は停止する。このような長期にわたる渇水時には雨水池１と雨水貯留タンク２に上水等の補給水を導入する。【００１２】  雨水池１は屋上の表面温度に直接影響を与えさせるため、その表面に直接防水シートを敷設し、枠構造のものでシートを立ち上げて造る。雨水貯留タンク２も蓋を設ける以外は基本的に同じ構造とする。【００１３】  雨水池１には降雨時に貯留タンク送水ポンプ４の不具合等で貯留タンク２に送水出来ない状況に備えて雨水池オーバーフロー管１５を設置する。【００１４】  雨水貯留タンク２の容量は、無降雨が２０日間続いても雨水池１の水が確保される程度が目安となる。この容量の雨水貯留タンク２では夏期においても雨水のみで雨水池１の水は確保された。【００１５】  雨水貯留タンク２の蓋には何ヶ所か穴を設け、この上に降る雨水もこのタンクに入るような構造とする。【００１６】  雨水貯留タンク２と雨水池１は施工性、ポンプの消費電力等を考慮すると隣接させることが望ましい。【００１７】  降雨量が多く雨水池１から送られる雨水が雨水貯留タンク２の満水水位を超える場合、貯留タンクオーバーフロー菅１４から雨水が排出されるが、これで雨水池１及び雨水貯留タンク２の水が入れ替わるため、水質悪化の防止に役立つと判断される。【００１８】  雨水池１にはヒートアイランド現象を緩和させるため、水温の上昇を抑制する必要があるが、そのためには水面全域に繁茂するように水生植物や糸状藻類を導入する。特に糸状藻類はマット状に池表面に広がるため、断熱効果が大きく、雨水池１の設置した屋上表面温度を低下させることに貢献する。これらの植物が繁茂する水深１２ｃｍの雨水池１では夏期のある晴天日の１４時で雨水池表面の温度が３５．１℃であったが、雨水池底の温度は２６．０℃であった。ちなみに雨水池の隣接した屋上表面の温度は４１．０℃に達した。【００１９】  本装置（雨水池１の平均水深１２ｃｍ）を学校の一つの教室上の屋上に設置して教室の温度を朝から夕方まで３０分おきに３回測定したとこ���設置した教室の室温は設置しない教室より１．５℃〜２．０℃低い値が長時間観測された。【００２０】  以上より本装置は自然資源である雨水を少量の消費電力で効率的に利用することによりヒートアイランド現象緩和に貢献することが確かめられた。【００２１】  植物の導入は雨水池１の水の減少を抑える効果もある。その減少量は植物を導入しない水域より導入した水域の方が５０％程度少ない結果が得られている。これは水表面の植物が風による水の飛散を抑えることが要因と考えられる。また、植物は餌となる動物プランクトンを増やし、魚類の産卵場所、トンボの羽化場所等を提供するため、生物の生息空間であるビオトープ機能も創出させる。【００２２】  雨水池１の水生植物は浮葉、浮標性を主体に導入するため、植物の基盤としての土壌は雨水池１には通常入れない。【００２３】  電源はＡＣ１００Ｖで行ったが、小型のポンプを使用で消費電力が少ないため、自然エネルギーであるソーラーパネルを電源にすることも可能である。
【図面の簡単な説明】
【００２４】
【図１】本発明の平面図
【図２】本発明の断面透視斜視図
【符号の説明】
【００２５】１．  雨水池
２．  雨水貯留タンク
３．  サブタンク
４．  貯留タンク送水ポンプ
５．  池送水ポンプ
６．  サブタンク満水・空センサー
７．  池満水・空センサー
８．  池満水・空センサー容器
９．  貯留タンク空センサー
１０．連通菅（池〜サブタンク）
１１．貯留タンク送水菅
１２．池送水菅
１３．ＡＣ１００Ｖプラグ
１４．貯留タンクオーバーフロー菅
１５．雨水池オーバーフロー管
【図１】
2007071003.tif 000003
【図２】
2007071003.tif 000004